【手続補正書】
【提出日】平成18年2月9日(2006.2.9)
【手続補正１】
【補正対象書類名】明細書
【補正対象項目名】発明の名称
【補正方法】変更
【補正の内容】
【発明の名称】携帯電話機
【手続補正２】
【補正対象書類名】明細書
【補正対象項目名】特許請求の範囲
【補正方法】変更
【補正の内容】
【特許請求の範囲】
【請求項１】
メッセージ情報を含むメールをサーバにアクセスして送信する送信手段と、
前記メッセージ情報をサーバにアクセスして受信する受信手段と、
前記サーバからメールがサーバに蓄積された旨を示す送信通知情報を受信したときに該
当するメッセージ情報を受信するか否かの条件を記憶する記憶手段と、
前記サーバから前記送信通知情報を受信すると、前記記憶手段に記憶された条件に基づ
いて前記送信通知情報に関連するメッセージ情報を受信するように前記サーバに対して要
求行う制御手段と
を有することを特徴とする携帯電話機。
【請求項２】
更に表示手段を有し、
制御手段は、
前記記憶手段に記憶された条件によって、メッセージ情報を受信しないと判断された場合
、送信通知があった旨を前記表示手段に表示すること
を特徴とする請求項1に記載の携帯電話機。
【請求項３】
メッセージ情報を含むメールをサーバにアクセスして送信する送信手段と、
前記メッセージ情報をサーバにアクセスして受信する受信手段と、
前記サーバからメールがサーバに蓄積された旨を示す送信通知情報を受信したときに該
当するメッセージ情報を受信するか否かの条件をメールアドレスごとに対応付けて記憶す
る記憶手段と、
前記サーバから前記送信通知情報を受信すると、該送信通知情報に記載されたメールア
ドレス情報が前記記憶手段に記憶されたメールアドレスに対応付けられた条件に基づいて
前記送信通知情報に関連するメッセージ情報を受信するように前記サーバに対して要求行
う制御手段と
を有することを特徴とする携帯電話機。
【請求項４】
メッセージ情報を含むメールをサーバにアクセスして送信する送信手段と、
前記メッセージ情報をサーバにアクセスして受信する受信手段と、
前記サーバからメールがサーバに蓄積された旨を示す送信通知情報を受信したときに該
当するメッセージ情報を受信するか否かの条件をメッセージ情報の項目ごとに対応付けて
記憶する記憶手段と、
前記サーバから前記送信通知情報を受信すると、前記記憶手段に記憶された条件に基づ
いて前記送信通知情報に関連するメッセージ情報の該当項目を受信するように前記サーバ
に対して要求行う制御手段と
を有することを特徴とする携帯電話機。
【手続補正３】
【補正対象書類名】明細書
【補正対象項目名】０００１
【補正方法】変更
【補正の内容】
【０００１】
【発明の属する技術分野】
本発明は、メールを送受信可能な携帯電話機に関する。
【手続補正４】
【補正対象書類名】明細書
【補正対象項目名】０００２
【補正方法】変更
【補正の内容】
【０００２】
【従来の技術】
従来、蓄積型メールシステムの利用者は、自分宛にメールが着信したことを知るために
、蓄積型メールシステム、つまり、パソコン通信事業者のメールサーバに割り当てられて
いる自己のメールボックスに、自分宛のメールが受信されているかどうかを問い合わせる
という操作を行っている。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
そこで、本発明では、上記問題点を解消し、無駄なメールシステムへの問い合わせを行
わずに、ユーザにとっての操作を簡略化できる携帯電話機を提供することを目的とする。
【手続補正７】
【補正対象書類名】明細書
【補正対象項目名】０００９
【補正方法】変更
【補正の内容】
【０００９】
【課題を解決するための手段】
上記目的を達成するため、本発明の携帯電話機は、メッセージ情報を含むメールをサー
バにアクセスして送信する送信手段と、前記メッセージ情報をサーバにアクセスして受信
する受信手段と、前記サーバからメールがサーバに蓄積された旨を示す送信通知情報を受
信したときに該当するメッセージ情報を受信するか否かの条件を記憶する記憶手段と、前
記サーバから前記送信通知情報を受信すると、前記記憶手段に記憶された条件に基づいて
前記送信通知情報に関連するメッセージ情報を受信するように前記サーバに対して要求行
う制御手段とを有することを特徴とする。
【手続補正８】
【補正対象書類名】明細書
【補正対象項目名】００１０
【補正方法】変更
【補正の内容】
【００１０】
また、本発明の携帯電話機は、メッセージ情報を含むメールをサーバにアクセスして送
信する送信手段と、前記メッセージ情報をサーバにアクセスして受信する受信手段と、前
記サーバからメールがサーバに蓄積された旨を示す送信通知情報を受信したときに該当す
るメッセージ情報を受信するか否かの条件をメールアドレスごとに対応付けて記憶する記
憶手段と、前記サーバから前記送信通知情報を受信すると、該送信通知情報に記載された
メールアドレス情報が前記記憶手段に記憶されたメールアドレスに対応付けられた条件に
基づいて前記送信通知情報に関連するメッセージ情報を受信するように前記サーバに対し
て要求行う制御手段とを有することを特徴とする。
【手続補正９】
【補正対象書類名】明細書
【補正対象項目名】００１１
【補正方法】変更
【補正の内容】
【００１１】
また、本発明の携帯電話機は、メッセージ情報を含むメールをサーバにアクセスして送
信する送信手段と、前記メッセージ情報をサーバにアクセスして受信する受信手段と、前
記サーバからメールがサーバに蓄積された旨を示す送信通知情報を受信したときに該当す
るメッセージ情報を受信するか否かの条件をメッセージ情報の項目ごとに対応付けて記憶
する記憶手段と、前記サーバから前記送信通知情報を受信すると、前記記憶手段に記憶さ
れた条件に基づいて前記送信通知情報に関連するメッセージ情報の該当項目を受信するよ
うに前記サーバに対して要求行う制御手段とを有することを特徴とする
【手続補正１０】
【補正対象書類名】明細書
【補正対象項目名】００１２
【補正方法】削除
【補正の内容】
【手続補正１１】
【補正対象書類名】明細書
【補正対象項目名】００１４
【補正方法】変更
【補正の内容】
【００１４】
図１は、本発明に係る一実施の形態を用いて構成される通信システムの全体構成を示す
図であり、ここでは、蓄積型メールシステムとしてパソコン通信、リアルタイム型メッセ
ージとして少容量、低速のショートメッセージ、蓄積型メール送信とリアルタイム型メッ
セージによる送信通知を行う端末、及び蓄積型メールの自動受信と送信通知を受ける端末
を、パソコン通信機能とショートメッセージ送受信機能を備えたＰＨＳ端末として説明す
る。
【手続補正１２】
【補正対象書類名】明細書
【補正対象項目名】００６５
【補正方法】変更
【補正の内容】
【００６５】
【発明の効果】
以上説明したように、本発明によれば、メールの送信相手先にメール送信した旨を通知
することができ、それにより、受信側では、従来のように、いちいちメールが受信してい
るか否かを知るための操作を行わなくてもメールが受信した旨を確実に知ることができる
ので、メールが着信していない時の無駄な受信操作を減少することができる。また、本発
明によれば、ユーザ設定により、メールの送信通知メッセージを受信すると自動的に該当
するメールの自動受信処理を行うようにしたため、メールの送信通知を受信する端末側で
自動受信実行条件の設定をしておけば、送信通知を受信する度にわざわざメールの受信操
作を行わなくても済み、相手方での処理操作を軽減することができる。